(57)【要約】【課題】葉を含む切断された茎を栽培・鑑賞することが可能な器を提供することが可能となる。【解決手段】  器２０は、本体部３０の上端部に開口３２を有し、開口を挟んで互いに対向する位置に凹部３４がそれぞれ設けられている。こうすることにより、開口３２に葉１２を含む茎１０を挿入し、開口の両側に設けられた凹部３４に葉１２を挿入することで、葉１２を含む切断された茎１０を立設し、美観良く鑑賞することができる器を提供することができる。【選択図】図１
2019126525.tif 000002
【特許請求の範囲】
【請求項１】
本体部の上方端に開口を有する器であって、
前記本体部の上方端には、前記開口を挟んで互いに対向する位置に、前記本体部に挿入された葉を保持する一対の凹部を有することを特徴とする、
器。
【請求項２】
一対の前記凹部は、同一の深さであることを特徴とする、
請求項１に記載の器。
【請求項３】
前記凹部の深さは、器の全長の２０％以上５０％以下の長さであることを特徴とする、
請求項１又は２に記載の器。
【請求項４】
前記本体部は、前記凹部を含む少なくとも一部が透光性を有するガラス製であり、
前記凹部の壁面は、溶融面であることを特徴とする、
請求項１から３のいずれか１項に記載の器。
【発明の詳細な説明】
【技術分野】
【０００１】
本発明は、器に関する。
【背景技術】
【０００２】
従来、切り花を生ける器として様々な花器が知られている。例えば、特許文献１では、花瓶の底の中央部分に凹みを付けることにより、花茎が直立するように工夫した一輪挿しが記載されている。この一輪挿しでは、花瓶の底の中央部分に凹みを付けることにより、一輪挿しに花を生ける際に、花が斜めになることを防ぎ、花茎が直立し花を前向きに保持することが可能となる。
【先行技術文献】
【特許文献】
【０００３】
【特許文献１】実用新案登録第３１７５６６６号公報
【発明の概要】
【発明が解決しようとする課題】
【０００４】
ところで、近年、インテリアグリーン商品の需要が高まるにつれて、従来のような切り花を生ける器である花瓶や観葉植物を栽培する器である植木鉢だけでなく、葉を含む茎を栽培・鑑賞することが可能な器が求められている。
【０００５】
例えば、葉を含む切断された茎を花瓶に入れた場合には、切り花と比較して茎の部分が短いため、葉を含む茎が倒れてしまい、栽培・鑑賞することが難しいという課題がある。
【０００６】
本発明は、このような課題に鑑みなされたものであり、葉を含む切断された茎を栽培及び鑑賞することが可能な器を提供することを主目的とする。
【課題を解決するための手段】
【０００７】
本発明は、上述の主目的を達成するために以下の手段を採った。
【０００８】
本発明の器は、
本体部の上方端に開口を有する器であって、
前記本体部の上方端には、前記開口を挟んで互いに対向する位置に、前記本体部に挿入された葉を保持する一対の凹部を有することを特徴とする、
ものである。
【０００９】
この器では、本体部の上方端に位置する開口から葉を含む切断された茎を本体部に挿入する。このとき、本体部の上方端には、開口を挟んで対向する位置に一対の凹部が設けられており、この凹部に葉の一部が挿入されることにより、葉の位置が凹部によって位置決めされる。こうすることにより、葉を含む切断された茎を直立させた状態で特定の方向に向けることができるため、葉を観賞しやすい。
【００１０】
本発明の器において、一対の前記凹部は、同一の深さであることを特徴としてもよい。こうすることにより、左右対称の形状の葉を有する葉を含む切断された茎を本体部に挿入した際、葉の中央が真上となる位置に位置決めされるため、優れた美観を演出することができる。
【００１１】
本発明の器において、前記凹部の深さは、器の全長の２０％以上５０％以下の長さであることを特徴としてもよい。このように、凹部の深さを器の全長の２０％以上とすることにより、凹部で葉を十分に位置決めすることができるため、葉を含む切断された茎が傾いたり倒れたりする可能性を未然に低減することができる。また、凹部の深さを器の全長の５０％以下とすることにより、本体部に水等を入れた際に十分に水を保持することができるため、凹部から水が流失する可能性を未然に低減しつつ、葉を含む切断された茎を栽培しやすい。なお、ここで器の全長とは、器の底面から上端部までの長さを言う。
【００１２】
本発明の器において、前記本体部は、前記凹部を含む少なくとも一部が透光性を有するガラス製であり、前記凹部の壁面は、溶融面であることを特徴としてもよい。このように、凹部を含む少なくとも一部が透光性を有するガラス製であるため、凹部で葉を含む切断された茎を保持する際、凹部近傍の葉が透光性を有する本体部を介して視認され、葉を観賞しやすい。また、本発明の器を明るい場所に置いた際、透光部を介して葉に光が当たるため、光合成を促し、葉の成長を促すことができる。加えて、凹部の壁面が溶融面であるため、凹部の壁面の陵部が葉に当接した際、葉を損傷する可能性を未然に低減することができる。特に、ガラスを切断して凹部を作製した場合、熱によって陵部を溶融して溶融面にしない場合には、陵部が葉を損傷する可能性が高いため、凹部の壁面を溶融面とすることの効果が大きい。
【図面の簡単な説明】
【００１３】
【図１】図１は、器２０の構成の概略を示す説明図である。
【図２】図２は、器２０の使用例の一例を示す説明図である。
【図３】図３は、他の実施の形態の器１２０の構成の概略を示す説明図である。
【発明を実施するための形態】
【００１４】
次に、本発明の実施の形態の一例として、器２０について詳しく説明する。以下に説明する実施の形態及び図面は、本発明の実施形態の一部を例示するものであり、これらの構成に限定する目的に使用されるものではなく、本発明の要旨を逸脱しない範囲において適宜変更することができる。なお、各図において対応する構成要素には同一又は類似の符号を付す。
【００１５】
器２０は、図１に示すように、全長（底面から上端部までの長さ）が約１００ミリメートルの本体部３０の上端側に開口３２を有し、全形が略円錐形状に近い透明なガラス製の器である。また、上端側の開口３２の両側には、深さが約３０ミリメートルの凹部３４ａ及び凹部３４ｂ（以下、「凹部３４」とも言う。）が設けられている。器２０を使用する際には、図２に示すように、本体部３０に水を注入した後、葉１２が凹部３４にそれぞれ挿入される位置に位置決めし、葉１２を含む切断された茎１０を本体部３０に挿入する。こうすることにより、葉１２の表面側及び裏面側が凹部３４の壁面によって位置決めされるため、葉１２を正面側に直立させることができる。また、本体部３０は透明なガラス製であるため、本体部３０の内部に挿入された部分についても、外部から視認することができる。このように、透明な部材の上端に凹部３４を設けることにより、葉１２を含む切断された茎１０を観賞することができる。このとき、本体部３０の内部に水や養分を入れることにより、茎１０の下部が水や養分の中に位置することで、水分や栄養分を補給することができる。
【００１６】
凹部３４は、上端側から下端側方向に凹む凹部であって、開口３２を挟んで互いに対向する位置であって、略一直線上になる位置に設けられている。こうすることにより、例えば、葉１２が湾曲している場合であっても、凹部３４に葉１２の一部が挿入されることにより、真っ直ぐな状態とすることができるため、優れた美観を与えることができる。また、凹部３４の側面は、表面を焼成又は溶融することによる溶融面として形成されているため、表面の凹凸や陵部が葉１２と当接する際、葉１２を損傷する可能性を未然に低減することができる。特に、ガラスを切断して凹部を形成する場合には、切断面である陵部が鋭利な面となる場合があるため、葉１２を凹部３４に挿入する際、葉１２を損傷する可能性が高くなる。特に、湾曲した葉１２を凹部３４に挿入する場合には、葉１２の表面と陵部とが当接する可能性が高いため、鋭利な陵部を有する場合には、葉１２を損傷する可能性が高くなる。しかしながら、凹部の壁面を溶融面とすることにより、葉１２を損傷する可能性を低減し、容易に葉１２を凹部３４に挿入することができる。
【００１７】
また、凹部３４ａ及び凹部３４ｂの深さは、いずれも上端側から下端側方向に約３０ミリメートルである。このように、開口３２の両側に位置する凹部３４の深さを同一とすることにより、葉１２を凹部３４に挿入した際、葉１２の高さを略同一とすることができるため、葉１２を含む切断された茎１０を立設した状態にすることができるため、高い鑑賞性を有する。また、全長が約１００ミリメートルの本体部３０に対して、凹部３４の深さを約３０ミリメートルとすることにより、本体部３０に十分な量の水を注入することができるため、葉１２を含む切断された茎１０を栽培する際、水を頻繁に注入する必要がなく、必要量の水を注入した場合であっても、凹部３４から水が漏水する可能性を未然に低減することができる。加えて、凹部３４に葉１２を挿入した際、葉１２が傾いたり、葉１２を含む切断された茎１０によって器２０が転倒したりする可能性を未然に防ぐことができる。
【００１８】
葉１２を含む切断された茎１０としては、フィカス類の茎、例えば、フィカス・アルテーシマやフィカス・エラスティカ、フィカス・ペンガレンシス、フィカス・エラスティカ  バーガンディー等の茎を用いることができる。フィカス類は、茎を切断した状態で茎の先端を水中に保つことにより栽培できるため、器２０に挿入することで、長期間鑑賞することができる。
【００１９】
以上詳述した本実施の形態の器２０によれば、本体部３０の上端部に開口３２を有し、開口を挟んで互いに対向する位置に凹部３４がそれぞれ設けられているため、開口３２に葉１２を含む茎１０を挿入し、開口の両側に設けられた凹部３４に葉１２を挿入することで、葉１２を含む切断された茎１０を立設し、鑑賞することができる。
【００２０】
また、凹部３４ａ及び凹部３４ｂは同じ深さであるため、葉１２を含む切断された茎１０を本体部３０に挿入した際、葉の中央が上を向く位置に位置決めされるため、優れた美観を演出することができる。
【００２１】
更に、前記凹部の深さは、約３０ミリメートル、すなわち、器２０の全長の約３０％の長さであるため、葉１２を含む茎１０を栽培するために好適な量の水を本体部３０に保持しつつ、葉１２を含む茎１０が傾いたり、器２０が転倒したりする可能性を未然に低減することができる。
【００２２】
更にまた、器２０は透明なガラス製であるため、器２０を介して、凹部３４に挿入された葉１２を視認することができるため、葉１２を鑑賞しやすい。
【００２３】
なお、本発明は上述した実施形態に何ら限定されることはなく、本発明の技術的範囲に属する限り種々の態様で実施し得ることはいうまでもない。
【００２４】
例えば、上述した実施の形態では、器２０は、全形が略円錐形状であるものとしたが、図３に示すように、上端側が解放された略四角柱形状であってもよい。この場合も、上述した実施の形態と同様の効果が得られる。
【００２５】
上述した実施の形態では、器２０は、透明なガラス製であるものとしたが、透光性を有する素材であればこれに限定されるものではなく、例えば、ＡＢＳ樹脂や、ポリエチレンテレフタラート樹脂等の透光性を有する種々の樹脂を使用することができる。いずれの場合であっても、上述した実施の形態と同様の効果が得られる。
【００２６】
上述した実施の形態では、凹部３４の深さは約３０ミリメートルであるものとしたが、凹部３４の深さはこれに限定されるものではなく、例えば、器２０の全長に対して２０％以上５０％以下の深さであってもよいし、３０％以上４０％以下の深さであってもよい。器の全長に対して、凹部３４の深さを２０％以上の深さとすることで、葉１２を含む切断された茎１０が傾いたり、器２０が転倒したりする可能性を低減することができる。また、器２０の全長に対して５０％以下の深さにすることで、本体部３０に葉１２を含む切断された茎１０を栽培するために十分な量の水が注入可能であり、このとき、注入された水が本体部３０から漏水すること、すなわち、凹部３４から水が漏れる可能性を未然に低減することができる。
【００２７】
上述した実施の形態では、葉１２を含む切断された茎１０としては、フィカス類の茎であるものとしたが、これに限定されることはなく、種々の植物に適用することができる。
【産業上の利用可能性】
【００２８】
上述した実施の形態で示すように、装飾分野、特に、植物を観賞するための器として利用することができる。
【符号の説明】
【００２９】
１０…茎、１２…葉、２０…器、３０…本体部、３２…開口、３４…凹部、３４ａ…凹部、３４ｂ…凹部、１２０…器。
【図１】
2019126525.tif 000003
【図２】
2019126525.tif 000004
【図３】
2019126525.tif 000005